【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
スキャン送信設定を遠隔的に登録できる画像入力装置に対して、遠隔的にスキャン送信設定を行うための情報処理装置であって、
既存の文書データと前記画像入力装置とを関連づける関連づけ手段と、
前記画像入力装置に関連づけられた前記文書データから、スキャン設定を抽出する抽出手段と、
記憶手段において前記文書データの保存された場所をスキャンデータの保存場所として設定する設定手段と、
抽出された前記スキャン設定および設定された前記保存場所を、前記画像入力装置に登録されるスキャン送信設定として前記画像入力装置に送信する手段と
を備えることを特徴とする情報処理装置。
【請求項２】
前記既存の文書データは前記画像入力装置に接続された文書管理装置に保存されており、
前記抽出手段は、前記文書管理装置に保存された文書データと関連づけて保存されたスキャン設定を抽出することを特徴とする請求項１に記載の情報処理装置。
【請求項３】
情報処理装置から遠隔的にスキャン送信設定を受信する画像入力装置であって、
ユーザインターフェース手段と、
スキャン設定およびスキャンしたデータの保存場所を含むスキャン送信設定を受信して、該スキャン送信設定に対応した操作部を前記ユーザインターフェース手段により表示する表示手段と、
前記操作部が操作されると、前記スキャン送信設定に設定されたスキャン設定で文書をスキャンし、前記保存場所へと保存するスキャン送信手段と
を備えることを特徴とする画像入力装置。
【請求項４】
利用者のログイン操作を受け付けるログイン手段を更に備え、
前記スキャン送信設定には利用者を特定するための利用者情報を更に含み、
前記表示手段は、前記ログイン手段によりログインを受け付けた利用者を特定する利用者情報を含むスキャン送信設定に対応した操作部を前記ユーザインターフェース手段により表示することを特徴とする請求項３に記載の画像入力装置。
【請求項５】
前記情報処理装置から受信したスキャン送信設定と同じスキャン送信設定に対応した操作部が既にユーザインターフェース手段により表示されているか否かを判定する手段と、
受信したスキャン送信設定と同じスキャン送信設定に対応した操作部が既に表示されていると判定された場合、既に表示されている前記操作部への参照情報を操作部として登録する手段とを更に備えることを特徴とする請求項３又は４に記載の画像入力装置。
【請求項６】
スキャン送信設定を遠隔的に登録できる画像入力装置に対して、情報処理装置により遠隔的にスキャン送信設定を行う文書配信システムであって、
前記情報処理装置は、
既存の文書データと前記画像入力装置とを関連づける手段と、
前記画像入力装置に関連づけられた前記文書データから、スキャン設定を抽出する手段と、
記憶手段において前記文書データの保存された場所をスキャンデータの保存場所として設定する設定手段と、
抽出された前記スキャン設定および設定された前記保存場所を、前記画像入力装置に登録されるスキャン送信設定として前記画像入力装置に送信する手段とを備え、
前記画像入力装置は、
ユーザインターフェース手段と、
前記スキャン送信設定を受信して、該スキャン送信設定に対応した操作部を前記ユーザインターフェース手段により表示する表示手段と、
前記操作部が操作されると、前記スキャン送信設定に設定されたスキャン設定で文書をスキャンし、前記保存場所へと保存するスキャン送信手段とを備えることを特徴とする文書配信システム。
【請求項７】
スキャン送信設定を遠隔的に登録できる画像入力装置に対して、遠隔的にスキャン送信設定を行うための情報処理装置の制御方法であって、
関連づけ手段が、既存の文書データと前記画像入力装置とを関連づける関連づけ工程と、
抽出手段が、前記画像入力装置に関連づけられた前記文書データから、スキャン設定を抽出する抽出工程と、
設定手段が、記憶手段において前記文書データの保存された場所をスキャンデータの保存場所として設定する設定工程と、
送信する手段が、抽出された前記スキャン設定および設定された前記保存場所を、前記画像入力装置に登録されるスキャン送信設定として前記画像入力装置に送信する工程と
を有することを特徴とする情報処理装置の制御方法。
【請求項８】
情報処理装置から遠隔的にスキャン送信設定を受信する画像入力装置の制御方法であって、
表示手段が、スキャン設定およびスキャンしたデータの保存場所を含むスキャン送信設定を受信して、該スキャン送信設定に対応した操作部をユーザインターフェース手段により表示する表示工程と、
スキャン送信手段が、前記操作部が操作されると、前記スキャン送信設定に設定されたスキャン設定で文書をスキャンし、前記保存場所へと保存するスキャン送信工程と
を有することを特徴とする画像入力装置の制御方法。
【請求項９】
スキャン送信設定を遠隔的に登録できる画像入力装置に対して、情報処理装置により遠隔的にスキャン送信設定を行う文書配信システムの制御方法であって、
前記情報処理装置においては、
関連づけ手段が、既存の文書データと前記画像入力装置とを関連づける関連づけ工程と、
抽出手段が、前記画像入力装置に関連づけられた前記文書データから、スキャン設定を抽出する抽出工程と、
設定手段が、記憶手段において前記文書データの保存された場所をスキャンデータの保存場所として設定する設定工程と、
送信する手段が、抽出された前記スキャン設定および設定された前記保存場所を、前記画像入力装置に登録されるスキャン送信設定として前記画像入力装置に送信する工程とを有し、
前記画像入力装置においては、
表示手段が、スキャン設定およびスキャンしたデータの保存場所を含むスキャン送信設定を受信して、該スキャン送信設定に対応した操作部をユーザインターフェース手段により表示する表示工程と、
スキャン送信手段が、前記操作部が操作されると、前記スキャン送信設定に設定されたスキャン設定で文書をスキャンし、前記保存場所へと保存するスキャン送信工程と
を有することを特徴とする文書配信システムの制御方法。
【請求項１０】
スキャン送信設定を遠隔的に登録できる画像入力装置に対して、コンピュータにより遠隔的にスキャン送信設定を行わせるためのプログラムであって、
既存の文書データと前記画像入力装置とを関連づける関連づけ手段と、
前記画像入力装置に関連づけられた前記文書データから、スキャン設定を抽出する抽出手段と、
記憶手段において前記文書データの保存された場所をスキャンデータの保存場所として設定する設定手段と、
抽出された前記スキャン設定および設定された前記保存場所を、前記画像入力装置に登録されるスキャン送信設定として前記画像入力装置に送信する手段と
してコンピュータを機能させるためのプログラム。
【請求項１１】
コンピュータにより、情報処理装置から遠隔的にスキャン送信設定を受信させるためのプログラムであって、
ユーザインターフェース手段と、
スキャン設定およびスキャンしたデータの保存場所を含むスキャン送信設定を受信して、該スキャン送信設定に対応した操作部を前記ユーザインターフェース手段により表示する表示手段と、
前記操作部が操作されると、前記スキャン送信設定に設定されたスキャン設定で文書をスキャンし、前記保存場所へと保存するスキャン送信手段と
してコンピュータを機能させるためのプログラム。
【請求項１２】
スキャン送信機能をもつ画像処理装置に対して、遠隔から前記スキャン送信機能の送信設定の登録を行う情報処理装置であって、
送信設定の対象とする文書データを指定する指定手段と、
前記指定手段により指定された前記文書データの記憶されている場所を取得する取得手段であって、前記文書データの記憶されている場所は、前記情報処理装置がもつ記憶ユニット内の記憶領域、または前記情報処理装置からアクセス可能な外部記憶ユニット内の記憶領域である取得手段と、
前記取得手段により取得された前記場所をスキャンデータの保存先として
設定する設定手段と、
前記設定手段により設定された前期保存先を、前記画像処理装置に登録される送信設定として、前記画像処理装置に送信する送信手段と
を備えることを特徴とする情報処理装置。
【請求項１３】
前記取得手段により取得された前記場所は、前記情報処理装置がもつ記憶ユニット内の記憶領域に記憶されている前記文書データの記憶場所を示すパス、または前記情報処理装置からアクセス可能な外部記憶ユニット内の記憶領域に記憶されている前記文書データの記憶場所を示すパスであることを特徴とする請求項１２に記載の情報処理装置。
【請求項１４】
スキャン送信機能をもつ画像処理装置に対して、遠隔から前記スキャン送信機能の送信設定の登録を行う情報処理装置の制御方法であって、
送信設定の対象とする文書データを指定する指定工程と、
前記指定工程において指定された前記文書データの記憶されている場所を取得する取得工程であって、前記文書データの記憶されている場所は、前記情報処理装置がもつ記憶ユニット内の記憶領域、または前記情報処理装置からアクセス可能な外部記憶ユニット内の記憶領域であるところの取得工程と、
前記取得工程において取得された前記場所をスキャンデータの保存先として
設定する設定工程と、
前記設定工程において設定された前期保存先を、前記画像処理装置に登録される送信設定として、前記画像処理装置に送信する送信工程と
を有することを特徴とする情報処理装置の制御方法。
【請求項１５】
前記取得工程において取得された前記場所は、前記情報処理装置がもつ記憶ユニット内の記憶領域に記憶されている前記文書データの記憶場所を示すパス、または前記情報処理装置からアクセス可能な外部記憶ユニット内の記憶領域に記憶されている前記文書データの記憶場所を示すパスであることを特徴とする請求項１４に記載の情報処理装置の制御方法。
【請求項１６】
請求項１４に記載の制御方法をコンピュータで実行させるためのプログラム。